(57)【要約】【課題】遊技時の混乱を招くことなく、大当たりの発生確率を適正化する。【解決手段】今回の大当たり発生時に各通過口３４ａ〜３４ｃを通過した遊技球の個数をカウントし、次回の大当たり発生時に、遊技球の通過個数の最も多い通過口３４ａ〜３４ｃの下方にＶ入賞口３８をスライド移動させる。【選択図】　　　図２
2004121742.tif 000002
【特許請求の範囲】
【請求項１】
遊技盤面上に設置され、開閉動作に基づいて遊技球の受け入れ状態を変更する可動部材が設けられた可変入賞球装置と、
前記可変入賞球装置に入った遊技球を複数の経路に誘導する誘導手段と、
前記複数の経路のうちのいずれかに対応して設けられた入賞口と、
所定条件に基づいて、前記複数の経路のうちのいずれか１つを特定する特定手段と、
前記特定手段により特定された経路を通過した遊技球が前記入賞口に入賞するように、前記入賞口の位置を移動させる移動手段と、
前記入賞口の入賞に基づいて、前記可動部材の開閉動作を制御する制御手段とを備えることを特徴とする遊技機。
【請求項２】
遊技盤面上に設置され、開閉動作に基づいて遊技球の受け入れ状態を変更する可動部材が設けられた可変入賞球装置と、
前記可変入賞球装置に入った遊技球を複数の経路に誘導する誘導手段と、
前記複数の経路のうちのいずれかに対応して設けられた入賞口と、
前記各経路を通過する遊技球の個数をカウントするカウント手段と、
前記入賞口に入賞する確率が所定の範囲に収まるように、前記入賞口を移動させる移動手段と、
前記入賞口の入賞に基づいて、前記可変入賞球装置を特定遊技状態に移行させる移行手段とを備えることを特徴とする遊技機。
【請求項３】
所定の解除条件に基づいて、前記入賞口の移動先を元に戻す解除手段をさらに備えることを特徴とする請求項１または２記載の遊技機。
【請求項４】
前記入賞口の移動先を報知する報知手段をさらに備えることを特徴とする請求項１〜３のいずれか１項記載の遊技機。
【発明の詳細な説明】
【０００１】
【発明の属する技術分野】
本発明は遊技機に関し、特に、パチンコ機に適用して好適なものである。
【０００２】
【従来の技術】
従来のパチンコ機では、羽根部材を開閉させることにより入賞空間を変化させることが可能な可変入賞球装置を備えたものがあった。
そして、この可変入賞球装置では、入賞空間内に複数の入賞口が設けられ、羽根部材の開閉動作中に、これらの複数の入賞口のうち予め定められた特定入賞口（Ｖ入賞口）に入賞することにより、特定遊技状態（大当たり状態）に移行するものがあった。
【０００３】
ここで、Ｖ入賞口の位置は、通常、入賞空間内に設けられた複数の入賞口のうちのどれか１個に固定されるが、例えば、特許文献１、２に開示されているように、各入賞口の入賞回数に応じて、Ｖ入賞口の位置を切り替えることにより、遊技の趣向を向上させたものがあった。
また、例えば、特許文献３に開示されているように、大入賞口内に特別入賞口を設け、入賞回数に基づいて特別入賞口の位置を移動させることにより、遊技の趣向を向上させたものがあった。
【０００４】
【特許文献１】
特開平３−５５０７９号公報
【特許文献２】
特開６−２３８０４５号公報
【特許文献３】
特開２０００−３３４０９６号公報
【０００５】
【発明が解決しようとする課題】
しかしながら、特許文献１、２に開示されている方法では、複数の入賞口の中からＶ入賞口の選択が行なわれる。
このため、どの入賞口がＶ入賞口として選択されているのか把握し難く、大当たり状態に移行させるため、どの入賞口を狙ったらよいか混乱することがあるという問題があった。
【０００６】
また、所定の入賞回数に最も早く到達した入賞口がＶ入賞口として選択されるため、Ｖ入賞口の入賞する確率が不当に大きくなることがあり、遊技の緊張感を損なうことがあった。
また、特許文献３に開示されている方法では、大入賞口内で特別入賞口を移動させ、大入賞口への入賞の規制が行なわれるため、大当たり発生の契機とすることができないという問題があった。
【０００７】
そこで、本発明の目的は、遊技時の混乱を招くことなく、大当たりの発生確率を適正化することが可能な遊技機を提供することである。
【０００８】
【課題を解決するための手段】
上述した課題を解決するために、請求項１記載の遊技機によれば、遊技盤面上に設置され、開閉動作に基づいて遊技球の受け入れ状態を変更する可動部材が設けられた可変入賞球装置と、前記可変入賞球装置に入った遊技球を複数の経路に誘導する誘導手段と、前記複数の経路のうちのいずれかに対応して設けられた入賞口と、所定条件に基づいて、前記複数の経路のうちのいずれか１つを特定する特定手段と、前記特定手段により特定された経路を通過した遊技球が前記入賞口に入賞するように、前記入賞口の位置を移動させる移動手段と、前記入賞口の入賞に基づいて、前記可動部材の開閉動作を制御する制御手段とを備えることを特徴とする。
【０００９】
これにより、複数の経路に対して入賞口を１個設けることで、入賞口を各経路に対応して配置することが可能となる。
このため、入賞口の位置を変更する場合においても、入賞口がどこにあるかを容易に把握することが可能となり、遊技時の混乱を招くことなく、大当たりの発生確率を適正化することが可能となる。
【００１０】
また、請求項２記載の遊技機によれば、遊技盤面上に設置され、開閉動作に基づいて遊技球の受け入れ状態を変更する可動部材が設けられた可変入賞球装置と、前記可変入賞球装置に入った遊技球を複数の経路に誘導する誘導手段と、前記複数の経路のうちのいずれかに対応して設けられた入賞口と、前記各経路を通過する遊技球の個数をカウントするカウント手段と、前記入賞口に入賞する確率が所定の範囲に収まるように、前記入賞口を移動させる移動手段と、前記入賞口の入賞に基づいて、前記可変入賞球装置を特定遊技状態に移行させる移行手段とを備えることを特徴とする。
【００１１】
これにより、可変入賞球装置における遊技球の流路に偏りがある場合においても、大当たりの発生確率を適正化することが可能となるとともに、入賞口の位置を変更する場合においても、入賞口がどこにあるかを容易に把握することが可能となり、遊技時の混乱を防止することが可能となる。
また、請求項３記載の遊技機によれば、所定の解除条件に基づいて、前記入賞口の移動先を元に戻す解除手段をさらに備えることを特徴とする。
【００１２】
これにより、可変入賞球装置における遊技球の流路に偏りを是正するために、入賞口の位置を変更した場合においても、大当たりの発生確率が不当に増大することを防止することができ、大当たりの発生確率を容易に適正化することが可能となる。
また、請求項４記載の遊技機によれば、前記入賞口の移動先を報知する報知手段をさらに備えることを特徴とする。
【００１３】
これにより、入賞口の位置を変更した場合においても、入賞口がどこにあるかを容易に把握することが可能となり、遊技時の混乱を減少させることが可能となる。
【００１４】
【発明の実施の形態】
以下、本発明の実施形態に係る遊技機について、パチンコ機を例にとって説明する。
図１は、本発明の第１実施形態に係るパチンコ機の概略構成を示す正面図である。
【００１５】
図１において、パチンコ機１の前面には、前面枠２が設けられ、前面枠２には扉保持枠３が設けられている。そして、扉保持枠３には、ガラス扉枠４および前面扉板６が開閉自在に設けられ、ガラス扉枠４には、遊技盤５が設けられている。
ここで、前面扉板６には、賞球払い出し口９から排出された遊技球を貯留するとともに、遊技球を打球発射レールに誘導する打球供給皿７、大当たり発生時などに効果音を発生するスピーカ８および入賞時に遊技球を打球供給皿７に排出する賞球払い出し口９などが設けられている。
【００１６】
また、扉保持枠３の下方には、賞球払い出し口９が満杯になった時に、余剰の遊技球を貯留する余剰球受け皿１０、余剰の遊技球を余剰球受け皿１０に排出する余剰球払い出し口１１および遊技球の打ち出し操作を行なうハンドル１２などが設けられ、扉保持枠３の上方には、大当たり状態などに点滅する枠ランプ１３ａ〜１３ｄなどが設けられている。
【００１７】
また、遊技盤５には、遊技球を遊技盤５内に導く遊技球誘導レール２１、遊技領域を区画する遊技領域形成レール２２、開閉動作に基づいて遊技球の受け入れ状態を変更するための羽根部材３３ａ、３３ｂが設けられ、特定遊技状態（大当たり状態）に移行可能な可変入賞球装置２３、ランプ付き風車２４ａ、２４ｂ、遊技球の入賞に伴って賞球を払い戻すための普通入賞口２５ａ、２５ｂ、風車２６ａ〜２６ｄ、遊技球の入賞に伴って賞球を払い戻すとともに、チューリップの開閉動作を行なうチューリップ式入賞口２７ａ、２７ｂ、遊技球の入賞に伴って賞球を払い戻すとともに、所定回数だけ羽根部材３３ａ、３３ｂを開閉させる始動入賞口２８ａ〜２８ｃ、遊技球の収集を行うアウト口２９、大当たり状態を知らせる遊技効果ランプ３０ａ、３０ｂなどが設けられている。
【００１８】
図２（ａ）は、本発明の第１実施形態に係る可変入賞球装置の概略構成を示す正面図、図２（ｂ）は、図２（ａ）のＥ−Ｅ線で切断した断面図である。
図２において、可変入賞球装置２３には、遊技球を可変入賞球装置２３内に受け入れる入賞空間４１が設けられ、入賞空間４１の上部には、遊技球が入賞空間４１に入ることを規制する入賞規制部３１が設けられている。
【００１９】
また、入賞規制部３１には、通過口３４ａ〜３４ｃに対応して入賞表示ＬＥＤ３２ａ〜３２ｃが設けられ、入賞表示ＬＥＤ３２ａ〜３２ｃは、遊技球１０１が通過した通過口３４ａ〜３４ｃに対応して入賞表示を行なう。
また、入賞空間４１の周囲には飾り４０が設けられるとともに、入賞空間４１の両側には、開閉動作が可能な羽根部材３３ａ、３３ｂが設けられ、羽根部材３３ａ、３３ｂが閉じると、羽根部材３３ａ、３３ｂが入賞規制部３１と噛み合うことで、入賞空間４１が閉鎖され、可変入賞球装置２３内への遊技球１０１の受け入れを拒否することができる。
【００２０】
一方、羽根部材３３ａ、３３ｂが開閉動作すると、羽根部材３３ａ、３３ｂで拾われた遊技球１０１が入賞空間４１に誘導され、遊技球１０１が可変入賞球装置２３内へ進入することが可能となる。
ここで、入賞空間４１には、入賞空間４１に入った遊技球１０１を可変入賞球装置２３の奥に進入させる通過口３４ａ〜３４ｃおよび可変入賞球装置２３の手前に排出する排出口３７ａ〜３７ｃが設けられている。
【００２１】
そして、通過口３４ａ〜３４ｃの下方には上部プレート３５が設けられ、上部プレート３５は、可変入賞球装置２３の手前から奥に向かって傾くように設置され、通過口３４ａ〜３４ｃに進入した遊技球１０１を可変入賞球装置２３の奥に誘導できるように構成されている。
そして、可変入賞球装置２３の奥には、各通過口３４ａ〜３４ｃに進入した遊技球をカウントするカウントスイッチ６２〜６４がそれぞれ設けられている。
【００２２】
また、排出口３７ａ〜３７ｃの下方には下部プレート３６が設けられ、下部プレート３６は、可変入賞球装置２３の奥から手前に向かって傾くように設置され、可変入賞球装置２３の奥に進入した遊技球１０１を可変入賞球装置２３の手前に誘導できるように構成されている。
また、下部プレート３６の下方には、左右に移動可能なＶ入賞口３８が設けられるとともに、Ｖ入賞口３８の駆動制御を行なうＶ入賞口駆動装置７３が設けられ、Ｖ入賞口３８には、Ｖ入賞口３８を通過した遊技球１０１をカウントするＶスイッチ６５が設けられている。
【００２３】
また、Ｖ入賞口３８の下方には、可変入賞球装置２３に入った遊技球１０１を排出するアウト穴３９が設けられている。
図３は、本発明の第１実施形態に係るパチンコ機の制御部の概略構成を示すブロック図である。
図３において、パチンコ機１の制御部には、パチンコ機１の主制御を行なう主制御ＣＰＵ５１、パチンコ機１の制御プログラムやデータなどを格納するＲＯＭ５２、各種データを一時的に格納するＲＡＭ５３、主制御ＣＰＵ５１との間で信号入力を行なう入力ポート５４、主制御ＣＰＵ５１との間で信号出力を行なう出力ポート５５、始動入賞球検出を行なうスタートスイッチ６１、各通過口３４ａ〜３４ｃの通過数をカウントするカウントスイッチ６２〜６４、Ｖ入賞球検出を行なうＶスイッチ６５、遊技効果ランプ３０ａ、３０ｂなどの表示制御を行なう表示灯制御装置７１、スピーカ８の駆動制御を行なう音声制御装置７２、Ｖ入賞口３８の駆動制御を行なうＶ入賞口駆動装置７３、チューリップ式入賞口２７ａ、２７ｂなどの開閉制御を行う普通電動役物用ソレノイド７４、羽根部材３３ａ、３３ｂの開閉制御を行う羽根開閉用ソレノイド７５、入賞時に遊技球を払い戻す賞球装置７６およびハンドル１２の操作に基づいて遊技球を遊技盤５内に発射する発射装置７７が設けられている。
【００２４】
ここで、ＲＡＭ５３にはカウンタ５３ａ〜５３ｃが設けられ、各カウンタ５３ａ〜５３ｃには、カウントスイッチ６２〜６４によるカウント値がそれぞれ格納される。
そして、スタートスイッチ６１、カウントスイッチ６２〜６４およびＶスイッチ６５からの信号は、入力ポート５４を介して主制御ＣＰＵ５１に入力される。
【００２５】
そして、主制御ＣＰＵ５１は、ＲＯＭ５２に格納されているプログラムに従ってこれらの信号を処理し、表示灯制御装置７１、音声制御装置７２、Ｖ入賞口駆動装置７３、普通電動役物用ソレノイド７４、羽根開閉用ソレノイド７５、賞球装置７６および発射装置７７を制御するための制御信号を、出力ポート５５を介して出力する。
【００２６】
次に、本発明の第１実施形態に係るパチンコ機の動作について説明する。
図１〜３において、遊技者のハンドル１２の操作により、遊技球が発射装置７７から発射されると、その遊技球が遊技球誘導レール２１に案内されて、遊技盤５内の上方に放出される。そして、遊技球は、釘、ランプ付き風車２４ａ、２４ｂ、もしくは風車２６ａ〜２６ｄなど当たって移動方向を変えながら、その一部は、普通入賞口２５ａ、２５ｂ、チューリップ式入賞口２７ａ、２７ｂあるいは始動入賞口２８ａ〜２８ｃに入賞する。
【００２７】
ここで、遊技球が普通入賞口２５ａ、２５ｂあるいはチューリップ式入賞口２７ａ、２７ｂ入に入賞すると、所定数の賞球が賞球装置７６を介して遊技者に払い戻される。
一方、遊技球が始動入賞口２８ａ〜２８ｃに入賞すると、所定数の賞球が賞球装置７６を介して遊技者に払い戻されるとともに、スタートスイッチ６１がオンし、その信号が入力ポート５４を介して主制御ＣＰＵ５１に送られる。
【００２８】
そして、主制御ＣＰＵ５１は、スタートスイッチ６１からの信号を受け取ると、出力ポート５５を介して羽根開閉用ソレノイド７５を制御し、羽根部材３３ａ、３３ｂを１回または２回だけ開閉動作させる。
例えば、主制御ＣＰＵ５１は、中央の始動入賞口２８ｂに遊技球が入賞した場合には、羽根部材３３ａ、３３ｂを２回だけ開閉動作させ、両側の始動入賞口２８ａ、２８ｃに遊技球が入賞した場合には、羽根部材３３ａ、３３ｂを１回だけ開閉動作させることができる。
【００２９】
そして、羽根部材３３ａ、３３ｂが開閉動作している時に、遊技盤５内に放出された遊技球が、羽根部材３３ａ、３３ｂで拾われると、可変入賞球装置２３の入賞空間４１に誘導される。
そして、遊技球が可変入賞球装置２３の入賞空間４１に誘導されると、遊技球は通過口３４ａ〜３４ｃのいずれか１つに進入し、上部プレート３５上を転がり落ち、可変入賞球装置２３の奥に誘導される。
【００３０】
そして、遊技球が可変入賞球装置２３の奥に誘導されると、遊技球が通過した通過口３４ａ〜３４ｃに対応するカウントスイッチ６２〜６４がオンして、その信号が出力ポート５５を介して主制御ＣＰＵ５１に入力される。
そして、主制御ＣＰＵ５１は、カウントスイッチ６２〜６４からの信号を受け取ると、そのカウントスイッチ６２〜６４に対応したカウンタ５３ａ〜５３ｃのカウント値をカウントアップさせる。
【００３１】
そして、カウントスイッチ６２〜６４を通過した遊技球は、下部プレート３６上を転がり落ち、可変入賞球装置２３の手前に誘導されて、排出口３７ａ〜３７ｃから排出される。
そして、例えば、Ｖ入賞口３８が排出口３７ｂの下方にある場合、通過口３４ｂを通過して排出口３７ｂから排出された遊技球は、Ｖ入賞口３８に入賞する。
【００３２】
そして、遊技球がＶ入賞口３８に入賞すると、Ｖスイッチ６５がオンして、その信号が出力ポート５５を介して主制御ＣＰＵ５１に入力される。
そして、主制御ＣＰＵ５１は、Ｖスイッチ６５からの信号を受け取ると、可変入賞球装置２３を特定遊技状態（大当たり状態）に移行させる。
すなわち、主制御ＣＰＵ５１は、出力ポート５５を介して表示灯制御装置７１および音声制御装置７２を制御し、枠ランプ１３ａ〜１３ｄおよび遊技効果ランプ３０ａ、３０ｂを点滅させるとともに、スピーカ８から効果音を発生させる。
【００３３】
また、主制御ＣＰＵ５１は、出力ポート５５を介して羽根開閉用ソレノイド７５を制御し、羽根部材３３ａ、３３ｂを連続して最高１８回だけ開閉させる。ただし、羽根部材３３ａ、３３ｂの開閉動作中に、可変入賞球装置２３に１０回だけ入賞すると、羽根部材３３ａ、３３ｂが１８回開閉する前でも、羽根部材３３ａ、３３ｂが閉じられる。
【００３４】
そして、主制御ＣＰＵ５１は、羽根部材３３ａ、３３ｂの１８回の開閉動作中に、可変入賞球装置２３に入った遊技球がＶ入賞口３８に再び入賞すると、根部材３３ａ、３３ｂの１８回の開閉動作を更新し、この更新を予め定められた最大回数（例えば、８回）まで許容する。
一方、Ｖ入賞口３８が排出口３７ｂの下方にある時に、通過口３４ａ、３４ｃを通過して排出口３７ａ、３７ｃからそれぞれ排出された遊技球は、Ｖ入賞口３８に入賞することなく、アウト穴３９に導かれ、賞球が払い出される。
【００３５】
また、普通入賞口２５ａ、２５ｂ、チューリップ式入賞口２７ａ、２７ｂあるいは始動入賞口２８ａ〜２８ｃに入らなかった遊技球は、遊技盤５下部に設けられたアウト口２９に入り、遊技球の収集が行われる。
ここで、主制御ＣＰＵ５１は、羽根部材３３ａ、３３ｂの開閉動作中に、遊技球が可変入賞球装置２３に入賞した場合、カウントスイッチ６２〜６４からの信号に基づいて、各通過口３４ａ〜３４ｃを通過した遊技球の個数をカウントし、そのカウント値をカウンタ５３ａ〜５３ｃにそれぞれ格納する。
【００３６】
そして、主制御ＣＰＵ５１は、このカウント値に基づいて、Ｖ入賞口駆動装置７３を制御し、Ｖ入賞口３８を左右にスライド移動させる。
例えば、主制御ＣＰＵ５１は、今回の大当たり発生時に各通過口３４ａ〜３４ｃを通過した遊技球の個数をカウントし、次回の大当たり発生時に、遊技球の通過個数の最も多い通過口３４ａ〜３４ｃの下方にＶ入賞口３８を移動させることができる。
【００３７】
例えば、図２（ａ）に示すように、通過口３４ｂの下方にＶ入賞口３８がある時に、通過口３４ａを通過した遊技球の個数が最も多い場合、主制御ＣＰＵ５１は、図４に示すように、入賞口駆動装置７３を介し、Ｖ入賞口３８の位置を通過口３４ａの下方にスライド移動させる。
これにより、次回の大当たり発生時では、前回の大当たり発生時に通過回数の最も多かった通過口３４ａに遊技球を通過させることにより、可変入賞球装置２３を大当たり状態に移行させることができ、通過口３４ａ〜３４ｃの通過し易さに偏りがある場合においても、大当たり確率を上昇させて、遊技者に満足を与えることが可能となる。
【００３８】
また、通過個数の少ない通過口３４ａ〜３４ｃから通過個数の多い通過口３４ａ〜３４ｃにＶ入賞口３８を移動させる場合、遊技球が可変入賞球装置２３に所定回数だけ入賞した後に、通過個数の少ない通過口３４ａ〜３４ｃから通過個数の多い通過口３４ａ〜３４ｃにＶ入賞口３８を移動させるようにしてもよい。
これにより、通過個数の多い通過口３４ａ〜３４ｃにＶ入賞口３８を移動させる場合においても、大当たり確率が不当に上昇することを防止することが可能となり、大当たり確率を適正に維持することが可能となる。
【００３９】
また、通過個数の多い通過口３４ａ〜３４ｃにＶ入賞口３８を移動させた後、所定の解除条件を満たすことにより、Ｖ入賞口３８の位置を元に戻すようにしてもよい。
ここで、解除条件としては、例えば、始動入賞口２８ａ〜２８ｃへの入賞数が所定回数に達した場合、始動アクションにおいて、羽根部材３３ａ、３３ｂの開閉動作が所定回数だけ行なわれた場合、役物（可変入賞球装置２３）の入賞数が所定回数に達した場合、Ｖ入賞口３８に所定回数だけ入賞した場合などを挙げることができる。
【００４０】
図５は、本発明の第１実施形態に係る大当たり発生後のＶ入賞口の移動位置の決定および解除に至る流れを示す図である。
図５において、遊技球が始動入賞口２８ａ〜２８ｃに入賞すると（ステップＳ１）、羽根部材３３ａ、３３ｂが所定回数だけ開閉動作する（ステップＳ２）。
そして、羽根部材３３ａ、３３ｂの開閉動作中に、可変入賞球装置２３のＶ入賞口３８に入賞すると、大当たり状態となり（ステップＳ３）、可変入賞球装置２３は大当たり動作を行なう（ステップＳ４）。
【００４１】
そして、大当たり動作中に、遊技球が通過口３４ａ〜３４ｃを通過すると（ステップＳ５）、各通過口３４ａ〜３４ｃの通過回数がカウントされ、カウンタ５３ａ〜５３ｃにそれぞれ格納される（ステップＳ６〜Ｓ８）。
そして、大当たり状態が終了すると（ステップＳ９）、各通過口３４ａ〜３４ｃの通過回数に基づいて、次回の大当たり発生時におけるＶ入賞口３８の位置を決定する（ステップＳ１０）。
【００４２】
ここで、各通過口３４ａ〜３４ｃの通過回数に基づいて、次回の大当たり発生時におけるＶ入賞口３８の位置を決定することにより、今回の大当たり中の入賞経過状態を次回の大当たり発生の契機とすることができ、遊技に緊張感を発生させることができる。
そして、Ｖ入賞口３８の位置を移動させた後、所定の解除条件を満たした場合（ステップＳ１１）、Ｖ入賞口３８の位置を元に戻す。
【００４３】
例えば、所定の解除条件としては、Ｖ入賞口３８に所定回数だけ入賞した場合を挙げることができ、Ｖ入賞口３８に所定回数だけ入賞した後に、Ｖ入賞口３８の位置を元に戻すことにより、通過個数の多い通過口３４ａ〜３４ｃにＶ入賞口３８を移動させた場合においても、大当たり確率が不当に上昇することを防止することが可能となり、大当たり確率を適正に維持することが可能となる。
【００４４】
図６は、本発明の第２実施形態に係る可変入賞球装置の概略構成を示す正面図である。
図６において、可変入賞球装置８０には、遊技球を可変入賞球装置８０内に受け入れる入賞空間９２が設けられ、入賞空間９２の上部には、遊技球が入賞空間９２に入ることを規制する入賞規制部８１が設けられている。
【００４５】
また、入賞規制部８１には、Ｖ入賞口８８の位置を決定するための図柄を表示する図柄表示装置８２が設けられている。
また、入賞空間９２の周囲には飾り９０が設けられるとともに、入賞空間９２の両側には、開閉動作が可能な羽根部材８３ａ、８３ｂが設けられ、羽根部材８３ａ、８３ｂが閉じると、羽根部材８３ａ、８３ｂが入賞規制部８１と噛み合うことで、入賞空間９２が閉鎖され、可変入賞球装置８０内への遊技球の受け入れが拒否される。
【００４６】
一方、羽根部材８３ａ、８３ｂが開閉動作すると、羽根部材８３ａ、８３ｂで拾われた遊技球が入賞空間９２に誘導され、遊技球が可変入賞球装置８０内へ進入することが可能となる。
ここで、入賞空間９２には、入賞空間９２に入った遊技球を可変入賞球装置８０の奥に進入させる通過口８４ａ〜８４ｃおよび可変入賞球装置８０の手前に排出する排出口８７ａ〜８７ｃが設けられている。
【００４７】
そして、通過口８４ａ〜８４ｃの下方には上部プレート８５が設けられ、上部プレート８５は、可変入賞球装置８０の手前から奥に向かって傾くように設置され、通過口８４ａ〜８４ｃに進入した遊技球を可変入賞球装置８０の奥に誘導できるように構成されている。
そして、可変入賞球装置８０の奥には、各通過口８４ａ〜８４ｃに進入した遊技球をカウントするカウントスイッチがそれぞれ設けられている。
【００４８】
また、排出口８７ａ〜８７ｃの下方には下部プレート８６が設けられ、下部プレート８６は、可変入賞球装置８０の奥から手前に向かって傾くように設置され、可変入賞球装置８０の奥に進入した遊技球を可変入賞球装置８０の手前に誘導できるように構成されている。
また、下部プレート８６の下方には、左右に移動可能なＶ入賞口８８が設けられ、Ｖ入賞口８８には、Ｖ入賞口８８を通過した遊技球をカウントするＶスイッチ９１が設けられている。
【００４９】
また、Ｖ入賞口８８の下方には、可変入賞球装置８０に入った遊技球を排出するアウト穴８９が設けられている。
ここで、Ｖ入賞口８８の位置を決定するための図柄を表示する図柄表示装置８２を可変入賞球装置８０に設けることにより、Ｖ入賞口８８の位置を遊技者に報知することが可能となり、Ｖ入賞口８８が移動する場合においても、遊技者はＶ入賞口８８の位置を的確に把握することができる。
【００５０】
なお、図１、２の可変入賞球装置２３は請求項１、２の可変入賞球装置、図２の通過口３４ａ〜３４ｃ、上部プレート３５、下部プレート３６および排出口３７ａ〜３７ｃは請求項１、２の誘導手段、図２のＶ入賞口３８は請求項１、２の入賞口、図３の主制御ＣＰＵ５１および図５のステップＳ１０の処理は請求項１の特定手段、図２、３のＶ入賞口駆動装置７３は請求項１、２の移動手段、図３の主制御ＣＰＵ５１および羽根開閉用ソレノイド７５は請求項１の制御手段、図３のカウントスイッチ６２〜６４は請求項２のカウント手段、図３の主制御ＣＰＵ５１および図５のステップＳ４の処理は請求項２の移行手段、図３の主制御ＣＰＵ５１および図５のステップＳ１１の処理は請求項３の解除手段、図６の図柄表示装置８２は請求項４の報知手段として用いることができる。
【００５１】
【発明の効果】
以上説明したように、本発明によれば、可変入賞球装置に設けられた複数の経路に対して入賞口を移動させることにより、入賞口の位置を変更する場合においても、入賞口がどこにあるかを容易に把握することが可能となり、遊技時の混乱を招くことなく、大当たりの発生確率を適正化することが可能となる。
【図面の簡単な説明】
【図１】本発明の第１実施形態に係るパチンコ機の概略構成を示す正面図である。
【図２】図２（ａ）は、本発明の第１実施形態に係る可変入賞球装置の概略構成を示す正面図、図２（ｂ）は、図２（ａ）のＥ−Ｅ線で切断した断面図である。
【図３】本発明の第１実施形態に係るパチンコ機の制御部の概略構成を示すブロック図である。
【図４】本発明の第１実施形態に係る可変入賞球装置における遊技球の移動経路の一例を示す正面図である。
【図５】本発明の第１実施形態に係る大当たり発生後のＶ入賞口の移動位置の決定および解除に至る流れを示す図である。
【図６】本発明の第２実施形態に係る可変入賞球装置の概略構成を示す正面図である。
【符号の説明】
１　パチンコ機
２　前面枠
３　扉保持枠
４　ガラス扉枠
５　遊技盤
６　前面扉板
７　打球供給皿
８　スピーカ
９　賞球払い出し口
１０　余剰球受け皿
１１　余剰球払い出し口
１２　ハンドル
１３ａ〜１３ｄ　枠ランプ
２１　遊技球誘導レール
２２　遊技領域形成レール
２３　可変入賞球装置
２４ａ、２４ｂ　ランプ付き風車
２５ａ、２５ｂ　普通入賞口
２６ａ〜２６ｄ　風車
２７ａ、２７ｂ　チューリップ式入賞口
２８ａ〜２８ｃ　始動入賞口
２９　アウト口
３０ａ、３０ｂ　遊技効果ランプ
３１、８１　入賞規制部
３２ａ〜３２ｃ　入賞表示ＬＥＤ
３３ａ、３３ｂ、８３ａ、８３ｂ　羽根部材
３４ａ〜３４ｃ、８４ａ〜８４ｃ　通過口
３５、８５　上部プレート
３６、８６　下部プレート
３７ａ〜３７ｃ、８７ａ〜８７ｃ　排出口
３８、８８　Ｖ入賞口
３９、８９　アウト穴
４０、９０　飾り
４１、９２　入賞空間
５１　主制御ＣＰＵ
５２　ＲＯＭ
５３　ＲＡＭ
５３ａ〜５３ｃ　カウンタ
５４　入力ポート
５５　出力ポート
６１　スタートスイッチ
６２〜６４　カウントスイッチ
６５、９１　Ｖスイッチ
７１　表示灯制御装置
７２　音声制御装置
７３　Ｖ入賞口駆動装置
７４　普通電動役物用ソレノイド
７５　羽根開閉用ソレノイド
７６　賞球装置
７７　発射装置
８２　図柄表示装置
１０１、１０２　遊技球
【図１】
2004121742.tif 000003
【図２】
2004121742.tif 000004
【図３】
2004121742.tif 000005
【図４】
2004121742.tif 000006
【図５】
2004121742.tif 000007
【図６】
2004121742.tif 000008